(57)【要約】      （修正有）【課題】シートに簡易に装着することができ、且つ、乗員の身体を効率的に温めることができる着脱式シートヒータを提供する。【解決手段】着脱式シートヒータ１０は、シートに設置されるシートヒータ本体部１１と、シートヒータ本体部１１と接続される配線部１２と、を具備する。シートヒータ本体部１１は、シート側に配設される第１外生地１３と、その周辺部付近が第１外生地１３に縫製される第２外生地１４と、第１外生地１３と第２外生地１４との間に配置され、外部から電圧が印加されることで発熱する発熱布１６と、を有する。【選択図】図１
0003209693.tif 000002
【実用新案登録請求の範囲】
【請求項１】
車両のシートに着脱可能に設置される着脱式シートヒータであり、
前記シートに設置されるシートヒータ本体部と、前記シートヒータ本体部と接続される配線部と、を具備し、
前記シートヒータ本体部は、
前記シート側に配設される第１外生地と、
前記第１外生地に対向して配置されると共に、その周辺部付近が前記第１外生地に縫製される第２外生地と、
前記第１外生地と前記第２外生地との間に配置され、外部から電圧が印加されることで発熱する導電性繊維から成る発熱布と、を有し、
前記配線部は、一端が前記発熱布と接続され、他端が外部電源と接続されることを特徴とする着脱式シートヒータ。
【請求項２】
前記シートヒータ本体部の一方側の側面付近に、前記シートの表面に対して離脱可能に接着する接着手段を形成することを特徴とする請求項１に記載の着脱式シートヒータ。
【請求項３】
前記接着手段はマジックテープ（登録商標）であることを特徴とする請求項２に記載の着脱式シートヒータ。
【請求項４】
前記シートヒータ本体部の他方側の側面付近に、前記シートのシートバックとシートクッションとの間に係合可能な係合部材を内蔵することを特徴とする請求項２または請求項３に記載の着脱式シートヒータ。
【請求項５】
前記係合部材は、発泡樹脂から成る棒状部材であることを特徴とする請求項４に記載の着脱式シートヒータ。
【請求項６】
前記発熱布は、前記シートのシートバックとシートクッションとを覆うシートカバーに組み込まれることを特徴とする請求項１に記載の着脱式シートヒータ。
【考案の詳細な説明】
【技術分野】
【０００１】
本考案は、シートに設置される着脱式シートヒータに関し、特に、発熱布を内蔵することで効果的にシートの表面を暖めることができる着脱式シートヒータに関する。
【背景技術】
【０００２】
従来から、シートのシートバックやシートクッションに発熱体を内蔵するシートヒータが車両に備えられていた。この種のシートヒータでは、蛇行形状に成形されたニクロム線などの発熱体が、シートの表面付近に内蔵されていた。このニクロム線に電圧を印加することで、ニクロム線を発熱させてシートに着座する乗員を暖めていた。
【０００３】
特許文献１に、シートに対して着脱可能なシートヒータの一例が記載されている。具体的には、蛇行形状に形成されたヒータ線を支持体に貼着し、外部の電源からヒータ線に電圧を印加することでヒータ線を発熱させ、シートに着座する乗員を暖める。また、かかる構成のシートヒータは、粘着テープによりシートに取り付け可能とされている。
【先行技術文献】
【特許文献】
【０００４】
【特許文献１】特開２００４−３１３２９９号公報
【考案の概要】
【考案が解決しようとする課題】
【０００５】
しかしながら、上記したシート自体に発熱体を内蔵するヒートシータでは、電圧が印加されたニクロム線から発熱するため、ニクロム線が配設された部分のシートのみが加熱されることで均熱性が高くなく、乗員の身体を効率的に温めることが難しい課題があった。
【０００６】
更に、ニクロム線が局所的に熱を発生させるため、シートに着座する乗員の身体を局所的に加熱しすぎてしまい、低温火傷が発生してしまう恐れもあった。更にまた、同様の理由により、ニクロム線に電圧を印加してから、乗員が加温を感じるまでに長時間を要してしまう課題もあった。
【０００７】
更にまた、上記した特許文献１に記載されたシートヒータでは、内蔵されるヒータ線の可撓性が低いため、ヒートから取り外されたシートヒータをコンパクトに折り畳むのが簡単でない課題もあった。
【０００８】
本考案は上記した課題を鑑みたものであり、本考案の主たる目的は、シートに簡易に装着することができ、乗員の身体を効率的に温めることができる着脱式シートヒータを提供することにある。
【課題を解決するための手段】
【０００９】
本考案の着脱式シートヒータでは、車両のシートに着脱可能に設置される着脱式シートヒータであり、前記シートに設置されるシートヒータ本体部と、前記シートヒータ本体部と接続される配線部と、を具備し、前記シートヒータ本体部は、前記シート側に配設される第１外生地と、前記第１外生地に対向して配置されると共に、その周辺部付近が前記第１外生地に縫製される第２外生地と、前記第１外生地と前記第２外生地との間に配置され、外部から電圧が印加されることで発熱する導電性繊維から成る発熱布と、を有し、前記配線部は、一端が前記発熱布と接続され、他端が外部電源と接続されることを特徴とする。
【００１０】
更に、本考案の着脱式シートヒータでは、前記シートヒータ本体部の一方側の側面付近に、前記シートの表面に対して離脱可能に接着する接着手段を形成することを特徴とする。
【００１１】
更に、本考案の着脱式シートヒータでは、前記接着手段はマジックテープ（登録商標）であることを特徴とする。
【００１２】
更に、本考案の着脱式シートヒータでは、前記シートヒータ本体部の他方側の側面付近に、前記シートのシートバックとシートクッションとの間に係合可能な係合部材を内蔵することを特徴とする。
【００１３】
更に、本考案の着脱式シートヒータでは、前記係合部材は、発泡樹脂から成る棒状部材であることを特徴とする。
【００１４】
更に、本考案の着脱式シートヒータでは、前記発熱布は、前記シートのシートバックとシートクッションとを覆うシートカバーに組み込まれることを特徴とする。
【考案の効果】
【００１５】
本考案の着脱式シートヒータでは、車両のシートに着脱可能に設置される着脱式シートヒータであり、前記シートに設置されるシートヒータ本体部と、前記シートヒータ本体部と接続される配線部と、を具備し、前記シートヒータ本体部は、前記シート側に配設される第１外生地と、前記第１外生地に対向して配置されると共に、その周辺部付近が前記第１外生地に縫製される第２外生地と、前記第１外生地と前記第２外生地との間に配置され、外部から電圧が印加されることで発熱する導電性繊維から成る発熱布と、を有し、前記配線部は、一端が前記発熱布と接続され、他端が外部電源と接続されることを特徴とする。従って、外部から電圧を印加することで発熱布が全面的に発熱するので、部分的に過度に発熱することがなく、低温火傷の危険性を低減することができる。また、発熱布を構成する各々の繊維自体が発熱するため、電圧を印加し始めてから発熱するまでの時間が短く、更に、少ない電力で大きな発熱量を得ることができる。
【００１６】
更に、本考案の着脱式シートヒータでは、前記シートヒータ本体部の一方側の側面付近に、前記シートの表面に対して離脱可能に接着する接着手段を形成することを特徴とする。従って、接着手段をシートの表面に対して接着することで、シートのシートバックやシートクッションの所望の位置にシートヒータ本体部を当接させ、使用者が所望する箇所を暖めることができる。
【００１７】
更に、本考案の着脱式シートヒータでは、前記接着手段はマジックテープ（登録商標）であることを特徴とする。従って、シートの表面布地にマジックテープ（登録商標）を貼り付けることで着脱式シートヒータを容易に設置することができる。更に、シートの表面布地からマジックテープ（登録商標）を剥がすことで着脱式シートヒータを容易に取り外すことができる。
【００１８】
更に、本考案の着脱式シートヒータでは、前記シートヒータ本体部の他方側の側面付近に、前記シートのシートバックとシートクッションとの間に係合可能な係合部材を内蔵することを特徴とする。従って、シートヒータ本体部の係合部材をシートバックとシートクッションとの間に係合させ、シートヒータ本体部の一端側の端部をシートバックまたはシートクッションに固定することで、シートバックまたはシートクッションに着脱式シートヒータを強固に設置できる。
【００１９】
更に、本考案の着脱式シートヒータでは、前記係合部材は、発泡樹脂から成る棒状部材であることを特徴とする。従って、発泡樹脂から成る棒状部材は、シートクッションとシートバックとの間に容易に挿入することができるので、シートヒータ本体部の他方側の端部をシートに簡易に固定できる。更に、発泡樹脂から成る棒状部材は、シートクッションとシートバックとの間から容易に引き出せるので、シートヒータ本体部の他方側の端部をシートから容易に取り外せる。
【００２０】
更に、本考案の着脱式シートヒータでは、前記発熱布は、前記シートのシートバックとシートクッションとを覆うシートカバーに組み込まれることを特徴とする。従って、シートカバーでシートバックおよびシートクッションを覆うことで、シートヒータ本体部をシートの所定の箇所に配置できる。
【図面の簡単な説明】
【００２１】
【図１】本考案の実施形態における着脱式シートヒータを説明する図であり、（Ａ）は着脱式シートヒータを示す斜視図であり、（Ｂ）は着脱式シートヒータの配線部が車体側の電源に接続される箇所を示す斜視図である。
【図２】本考案の実施形態における着脱式シートヒータを説明する図であり、（Ａ）は小型の着脱式シートヒータが取り付けられたシートを示す斜視図であり、（Ｂ）は着脱式シートヒータを含むシートカバーが取り付けられたシートを示す斜視図である。
【図３】本考案の実施形態における着脱式シートヒータを説明する図であり、（Ａ）着脱式シートヒータが取り付けられたシートを示す断面図であり、（Ｂ）はその状態のシートを後方から見た斜視図である。
【図４】（Ａ）は本形態の着脱式シートヒータに内蔵される発熱布が発熱した状態を示すサーモグラフィであり、（Ｂ）は比較対象であるフィルムヒータが発熱した状態を示すサーモグラフィである。
【考案を実施するための形態】
【００２２】
以下に、本考案の実施形態である着脱式シートヒータを図面に基づき詳細に説明する。以下の説明では、同一の部材には原則として同一の符番を用い、繰り返しの説明は省略する。
【００２３】
図１を参照して、着脱式シートヒータ１０の構成を説明する。図１（Ａ）は着脱式シートヒータ１０を示す斜視図であり、図１（Ｂ）は着脱式シートヒータ１０の配線部１２が車体側に接続される箇所を示す斜視図である。
【００２４】
図１（Ａ）を参照して、着脱式シートヒータ１０は、後述するシート２０に着脱可能に設置されるシートヒータ本体部１１と、シートヒータ本体部１１と接続されて外部に導出する配線部１２と、を主要に備えている。着脱式シートヒータ１０の主たる機能は、車両に備えられるシート２０の所定箇所に配置され、シート２０に着座する乗員の身体を効果的に温めることで、特に温度が低い冬期に於いて乗員の快適性を高めることにある。
【００２５】
シートヒータ本体部１１は、紙面上で奥側に配置された第１外生地１３と、第１外生地１３と対向するように紙面上にて手前側に配置された第２外生地１４と、第１外生地１３と第２外生地１４との間に配置された発熱布１６と、から主に構成されている。シートヒータ本体部１１は、平面視で矩形形状を呈しており、その紙面上に於ける横方向および縦方向の長さは、後述するシートクッション２１やシートバック２２よりも短い。
【００２６】
第１外生地１３は、シートヒータ本体部１１をシート２０に設置した際に、乗員の体に接する部分であり、乗員に違和感を与えることがないように、柔らかい布地から成る。
【００２７】
第２外生地１４は、第１外生地１３と略同様の大きさおよび形状を呈し、シートヒータ本体部１１をシート２０に設置した際に、シート２０の表面に接する布材である。第２外生地１４としては、例えば第１外生地１３と同様の材料が採用される。第２外生地１４の外周部分は、第１外生地１３の外周部分に、縫製等で接着されている。
【００２８】
発熱布１６は、第１外生地１３と第２外生地１４との間に配置される。発熱布１６の平面視での大きさは、第１外生地１３や第２外生地１４よりも小さく形成される。発熱布１６の紙面上に於ける下端は、第１外生地１３や第２外生地１４の下端よりも上方に配置される。また、発熱布１６の周辺部付近は、第１外生地１３や第２外生地１４に縫製される。
【００２９】
更に、発熱布１６は、導電性を有する布材であり布ヒータとも称される。発熱布１６は、外部から電圧が印加されることで発熱する導電性繊維から構成されている。この導電性繊維としてはメッキ加工が施されたナイロン繊維を採用でき、この導電性繊維をニット編みすることで発熱布１６が形成されている。ここで、発熱布１６は導電性繊維だけで形成されても良いが、導電性繊維と絶縁材料から成る繊維とを組み合わせて編み込むことで発熱布１６を形成しても良い。この場合、導電性繊維が占める割合を変化させることで、発熱布１６の発熱量を変化させることができる。また、メッキ加工の方法や導電性繊維の編み方を変えることによっても、発熱布１６の発熱量を変化させることができる。
【００３０】
配線部１２は、上記した構成を有するシートヒータ本体部１１と外部電源とを接続する。配線部１２の本体側端部１２Ａは、発熱布１６の下方側端部の２箇所に配置している。発熱布１６に接続する左方の本体側端部１２Ａは例えば電源の正極に接続されている。発熱布１６に接続する右方の本体側端部１２Ａは例えば電源の負極に接続されている。また、図１（Ａ）を参照して、シートヒータ本体部１１から外部に導出する配線部１２の端部には、ここでは図示しない他の配線と接続するためのカプラ２７が接続している。配線部１２の端部にカプラ２７を接続することで、シートヒータ本体部１１をシート２０から取り外す際に、配線部１２をカプラ２７が設置された箇所で容易に電源から切り離すことができる。また、カプラ２７を設けることで、シートヒータ本体部１１に接続する配線部１２が短くなり、着脱式シートヒータ１０を収納する際に配線部１２をコンパクトに収納できる。
【００３１】
図１（Ｂ）に示すように、配線部１２の電源側端部１２Ｂに装着されたプラグ２５は、車両のバッテリ等の外部電源に接続するシガーソケット２４に挿入接続される。即ち、着脱式シートヒータ１０の発熱布１６には、シガーソケット２４、プラグ２５および配線部１２を経由して、車両に搭載されたバッテリから電圧が印加される。ここで、配線部１２の電源側端部１２Ｂは、シガーソケット２４を経由せずに、車両に搭載されるバッテリに直接的に接続されても良い。
【００３２】
上記したシートヒータ本体部１１は、紙面上にて上方部分の発熱布配置領域１１Ａと、紙面上にて下方部分の配線部配置領域１１Ｂとを有する。発熱布配置領域１１Ａでは、第１外生地１３と第２外生地１４との間に発熱布１６が配置される。配線部配置領域１１Ｂには、配線部１２の枝分かれする部分が収納される。
【００３３】
マジックテープ（登録商標）１７は、シート２０に着脱可能な接着手段であり、第２外生地１４の紙面上に於ける上方側辺に設置されている。マジックテープ（登録商標）１７は、第２外生地１４の上方端部に於いて、左方側端部から右方側端部に渡って細長に設置されている。マジックテープ（登録商標）１７は、シートヒータ本体部１１を後述するシート２０に設置した際に、シートクッション２１またはシートバック２２の表面に対して、着脱自在に接着する。マジックテープ（登録商標）１７を第２外生地１４に設置することで、乗員が加温を希望するシート２０の所定箇所に、シートヒータ本体部１１を容易に且つ強固に設置できる。更に、乗員は、着脱式シートヒータ１０の使用を希望しない場合は、マジックテープ（登録商標）１７をシート２０の表面から引き剥がすことで、シートヒータ本体部１１を簡易に取り外すことができる。また、マジックテープ（登録商標）１７は、可撓性に優れる部材であるため、シートヒータ本体部１１を折り畳んで収納する際に、マジックテープ（登録商標）１７が収納性を阻害することは無い。
【００３４】
係合部材１９は、シートヒータ本体部１１の下方側側面に沿って配置された略円筒形状の棒状部材から成る。係合部材１９の具体的としては、細長い円筒状に形成された発泡ウレタンを採用できる。係合部材１９は、後述するように、シート２０のシートクッション２１とシートバック２２との間から、シート２０の後方側に挿入されることで、シートヒータ本体部１１の下端を固定する機能を有する。即ち、使用状況下のシートヒータ本体部１１は、その上端部がマジックテープ（登録商標）１７を介してシート２０の表面に固定され、その下端部が係合部材１９を介してシートクッション２１とシートバック２２との間に固定される。
【００３５】
また、係合部材１９は、シートクッション２１とシートバック２２との間に挿入されたら、この間から不用意に離脱しない太さと固さを有する。また、係合部材１９は、着脱式シートヒータ１０をシート２０から取り外すために、乗員がシートヒータ本体部１１を引っ張ったら、シートクッション２１とシートバック２２との間から離脱可能な太さと固さを有する。
【００３６】
図２を参照して、次に、上記した構成を有する着脱式シートヒータ１０がシート２０に設置される構造を説明する。図２（Ａ）は、簡易型の着脱式シートヒータ１０Ａ、１０Ｂが設置されたシート２０を示す斜視図であり、図２（Ｂ）はシート２０を全体的に覆う着脱式シートヒータ１０を示す斜視図である。
【００３７】
図２（Ａ）を参照して、シート２０は、乗員の臀部を下方から支えるシートクッション２１と、乗員の胴体を後方から支えるシートバック２２と、乗員の頭部を後方から支えるヘッドレスト２３と、を有する。ここでは、比較的小型の着脱式シートヒータ１０Ａ、１０Ｂを、シート２０に設置している。この図では、着脱式シートヒータ１０Ａ、１０Ｂにハッチングを施し、発熱布１６Ａ、１６Ｂが配置される部分を濃いハッチングで示している。
【００３８】
着脱式シートヒータ１０Ａは、シートクッション２１の上面に載置されている、着脱式シートヒータ１０Ａの前端部分は、上記したマジックテープ（登録商標）１７でシートクッション２１の上面に接着されている。また、着脱式シートヒータ１０Ａの後端部分に内蔵された図示しない係合部材１９を、シートクッション２１とシートバック２２との接続部に挿入されている。かかる構成により、着脱式シートヒータ１０Ａの発熱布１６Ａを、シート２０に着座する乗員の臀部の下方に載置でき、その臀部を温めて快適感を向上できる。着脱式シートヒータ１０Ａのここでは図示しない配線部１２は、シートクッション２１の後方から車室内を引き回され、シート２０の前方に配置される上記したシガーソケット２４に接続される。
【００３９】
着脱式シートヒータ１０Ｂは、シートバック２２の前面に設置されている、着脱式シートヒータ１０Ｂの上端部分は、上記したマジックテープ（登録商標）１７でシートバック２２の前面に接着されている。また、着脱式シートヒータ１０Ｂの後端部分に内蔵された図示しない係合部材１９は、着脱式シートヒータ１０Ａと同様に、シートクッション２１とシートバック２２との接続部に挿入されている。かかる構成により、着脱式シートヒータ１０Ｂの発熱布１６Ｂを、シート２０に着座する乗員の背中の後方に載置でき、その背中を温めて快適感を向上できる。着脱式シートヒータ１０Ｂのここでは図示しない配線部１２は、着脱式シートヒータ１０Ａと同様に、シート２０の前方に配置される上記したシガーソケット２４に接続される。
【００４０】
ここで、着脱式シートヒータ１０Ａのみがシートクッション２１の上面に設置されても良いし、着脱式シートヒータ１０Ｂのみがシートバック２２の前面に設置されても良い。着脱式シートヒータ１０Ａ、１０Ｂは容易に着脱できるので、車室内の温度変化に応じて簡易に設置または撤去することができる。
【００４１】
図２（Ｂ）を参照して、シート２０のシートクッション２１およびシートバック２２が全面的にシートカバー２６で覆われている。ここでは、シートカバー２６をハッチングで示しており、シートカバー２６に形成される発熱布１６Ａ、１６Ｂを濃いハッチングで示している。発熱布１６Ａ、１６Ｂは、シートカバー２６の内側面に配設される。シートカバー２６でシートクッション２１およびシートバック２２を覆うと、発熱布１６Ａはシートクッション２１の上面に配置され、発熱布１６Ｂはシートバック２２の前面に配置される。かかる構成により、シート２０を全体的に覆うシートカバー２６に、シート２０を加温する機能を簡易に付与することができる。ここで、発熱布１６Ａ、１６Ｂがシートクッション２１およびシートバック２２の所定箇所に配置されるように、シートカバー２６の適宜な箇所に上記したマジックテープ（登録商標）１７および係合部材１９を配置しても良い。
【００４２】
図３を参照して、着脱式シートヒータ１０をシート２０に装着する構成を詳述する。図３（Ａ）は着脱式シートヒータ１０が設置されたシート２０を示す断面図であり、図３（Ｂ）はその状態のシート２０を後方から見た斜視図である。
【００４３】
図３（Ａ）を参照して、上記したように、シートヒータ本体部１１は、その上端部がマジックテープ（登録商標）１７でシートバック２２に接着され、その下端が係合部材１９でシートクッション２１とシートバック２２との接続部分に係合することで、シート２０に設置されている。詳しくは、着脱式シートヒータ１０のシートヒータ本体部１１の上方端部に配置されたマジックテープ（登録商標）１７が、シートバック２２の前面に接着する。一方、シートヒータ本体部１１の下端に内蔵された係合部材１９は、シートクッション２１の後端とシートバック２２の下端との接続部分から、後方に引き出されている。
【００４４】
図３（Ｂ）を参照して、上記したように、シートヒータ本体部１１の下端に内蔵された係合部材１９は、シートクッション２１とシートバック２２との接続部分から後方に引き出されている。また、この接続部から後方に引き出される部分のシートヒータ本体部１１の下端からは、上記した配線部１２およびカプラ２７も導出している。
【００４５】
図４を参照して、上記した発熱布１６の均熱性を説明する。図４（Ａ）は本形態の着脱式シートヒータ１０に内蔵される発熱布１６が発熱した状態を示すサーモグラフィであり、図４（Ｂ）は比較対象であるフィルムヒータが発熱した状態を示すサーモグラフィである。これらの図では、温度の高さを色の黒さで表現している。
【００４６】
図４（Ａ）を参照して、発熱布１６に通電して発熱させた場合、発熱布１６自体が導電性繊維から成るので、発熱布１６は全体的に発熱しており、均熱性が極めて高い。よって、発熱布１６を内蔵する着脱式シートヒータ１０で、乗員の身体を効率的に暖めることができる。また、局所的に極端に高温になることが無いので、乗員が火傷を負ってしまう危険性を低減することができる。
【００４７】
図４（Ｂ）を参照して、比較対象であるフィルムヒータでは、蛇行形状に導電体が配置された部分のみが発熱し、導電体が配置されていない部分は発熱していない。よって、本形態の発熱布１６と比較して、フィルムヒータは均熱性に劣っており、乗員を効率的に加温することが簡単で無く、低温火傷の危険性を排除することも難しい。
【００４８】
本形態で、着脱式シートヒータ１０に発熱布１６を採用することで奏される効果を以下に述べる。
【００４９】
先ず、発熱布１６を構成する繊維自体が発熱するため、無駄な発熱が少ない。よって、電源を投入してから３０秒程度の短時間でシートヒータ本体部１１を加温して、短時間で乗員の体を温めて快適性を向上できる。例えば、発熱布１６は、約２分間で２０℃程度の温度上昇を行うことができる。
【００５０】
更に、シートヒータ本体部１１に内蔵される発熱布１６自体が全体的に発熱するため、高い均熱性が得られる。また、発熱布１６を構成する繊維自体が赤外線を反射するため、体から発せられる赤外線が発熱布１６で反射される。よって、シートヒータ本体部１１は高い保温性を有する。
【００５１】
また、発熱布１６を構成する繊維自体が発熱するため、小さい電力で大きな熱エネルギを得ることができる。特に、車両では供給できる電力に限りが有るため、エネルギ効率が良い発熱布１６を着脱式シートヒータ１０に採用することは有用である。
【００５２】
更にまた、発熱布１６は、繊維から有る導電体であるため、柔軟性および伸縮性に優れており、シート２０のシートクッション２１やシートバック２２の表面の凹凸形状に追従して変形することができる。よって、シート２０に着座する乗員のフィット感を、着脱式シートヒータ１０が阻害することは無い。
【００５３】
更に、発熱布１６は、電圧が印加された際の最高温度は４５℃程度と比較的低温であるため、発熱布１６の発熱により乗員が低温火傷を負ってしまう危険性を低減できる。
【００５４】
また、発熱布１６を構成する繊維は自己消火性が高い為、火災事故発生や火災事故を低減することができる。
【００５５】
更にまた、発熱布１６を構成する繊維自体が導電性を有し、従来のニクロム線などの導線を有さないため、着脱式シートヒータ１０を使用または収納している際に、発熱体が断線してしまうことを防止できる。
【００５６】
更に、発熱布１６は素材が布のため、着脱式シートヒータ１０が汚れた際に水洗いすることができ、また、上記した第１外生地１３等に直接縫製できる。更に、着脱式シートヒータ１０をコンパクトに収納できる。
【００５７】
また、着脱式シートヒータ１０は、その着脱が容易なため、運転席、助手席、後部座席等の各種シートに装着できる。
【００５８】
更にまた、着脱式シートヒータ１０は、車両のシート以外に設置することが可能であり、携帯用電源に配線部１２を接続することで、使用者を加温する装置として屋外で簡易に使用することができる。
【００５９】
以上、本考案の実施形態を示したが、本考案は、上記した実施形態に限定されるものではない。
【００６０】
例えば、図１を参照して、第１外生地１３または第２外生地１４の表面にポケットを形成しても良い。これにより、着脱式シートヒータ１０をシート２０から取り外した後に、このポケットにシートヒータ本体部１１を収納することができる。よって、シートヒータ本体部１１をよりコンパクトに収納することができる。
【符号の説明】
【００６１】
１０，１０Ａ，１０Ｂ 着脱式シートヒータ
１１   シートヒータ本体部
１１Ａ 発熱布配置領域
１１Ｂ 配線部配置領域
１２   配線部
１２Ａ 本体側端部
１２Ｂ 電源側端部
１３   第１外生地
１４   第２外生地
１６，１６Ａ，１６Ｂ 発熱布
１７   マジックテープ（登録商標）
１９   係合部材
２０   シート
２１   シートクッション
２２   シートバック
２３   ヘッドレスト
２４   シガーソケット
２５   プラグ
２６   シートカバー
２７   カプラ
【図１】
0003209693.tif 000003
【図２】
0003209693.tif 000004
【図３】
0003209693.tif 000005
【図４】
0003209693.tif 000006
【手続補正書】
【提出日】平成29年2月2日(2017.2.2)
【手続補正１】
【補正対象書類名】実用新案登録請求の範囲
【補正対象項目名】請求項３
【補正方法】変更
【補正の内容】
【請求項３】
前記接着手段は面ファスナーであることを特徴とする請求項２に記載の着脱式シートヒータ。
【手続補正２】
【補正対象書類名】明細書
【補正対象項目名】００１１
【補正方法】変更
【補正の内容】
【００１１】
更に、本考案の着脱式シートヒータでは、前記接着手段は面ファスナーであることを特徴とする。
【手続補正３】
【補正対象書類名】明細書
【補正対象項目名】００１７
【補正方法】変更
【補正の内容】
【００１７】
更に、本考案の着脱式シートヒータでは、前記接着手段は面ファスナーであることを特徴とする。従って、シートの表面布地に面ファスナーを貼り付けることで着脱式シートヒータを容易に設置することができる。更に、シートの表面布地から面ファスナーを剥がすことで着脱式シートヒータを容易に取り外すことができる。
【手続補正４】
【補正対象書類名】明細書
【補正対象項目名】００３３
【補正方法】変更
【補正の内容】
【００３３】
マジックテープ（登録商標）１７は、シート２０に着脱可能な接着手段であり、第２外生地１４の紙面上に於ける上方側辺に設置されている。マジックテープ（登録商標）１７は、第２外生地１４の上方端部に於いて、左方側端部から右方側端部に渡って細長に設置されている。マジックテープ（登録商標）１７は、シートヒータ本体部１１を後述するシート２０に設置した際に、シートクッション２１またはシートバック２２の表面に対して、着脱自在に接着する。マジックテープ（登録商標）１７を第２外生地１４に設置することで、乗員が加温を希望するシート２０の所定箇所に、シートヒータ本体部１１を容易に且つ強固に設置できる。更に、乗員は、着脱式シートヒータ１０の使用を希望しない場合は、マジックテープ（登録商標）１７をシート２０の表面から引き剥がすことで、シートヒータ本体部１１を簡易に取り外すことができる。また、マジックテープ（登録商標）１７は、可撓性に優れる部材であるため、シートヒータ本体部１１を折り畳んで収納する際に、マジックテープ（登録商標）１７が収納性を阻害することは無い。ここで、マジックテープ（登録商標）１７とは、面ファスナーのことである。